(57)【特許請求の範囲】
【請求項１】
遊技領域内に図柄表示部が設けられている遊技機であって、
前記図柄表示部を露出する開口部を有する枠状体で、遊技球が進入可能な球入口と、前記開口部に沿って設けられ、前記球入口を介して進入した遊技球を前記開口部の外側を通して流下させる通過路とを備えた飾り部材を設置するとともに、
前記開口部内で前記図柄表示部の前方に、複数の小孔が穿設された透明板を設置し、後端が前記小孔の径よりも大きく膨出された複数のピン状障害体を、前記小孔を介して前方へ突出させるとともに、前記透明板の後方に、前記ピン状障害体の前記後端を嵌入可能な複数の凹部が前記小孔に対応して設けられた透明なピン押さえ板を位置させ、前記ピン状障害体の前記後端を、前記凹部へ嵌入させた状態で前記透明板と前記ピン押さえ板とにより挟持しており、
前記遊技領域内に打ち込まれ、前記球入口へ進入した遊技球を前記通過路側と前記開口部内側との何れかに振り分け、前記開口部内に進入した遊技球については、前記透明板の前方を前記複数のピン状障害体と衝突させながら流下させる一方、
前記球入口を開閉し、前記通過路及び前記開口部内への遊技球の進入を許可／阻止するシャッター機構を設けたことを特徴とする遊技機。
【請求項２】
ピン状障害体が、小孔において接着若しくは溶着されていることを特徴とする請求項１に記載の遊技機。
【請求項３】
飾り部材が、枠状体の上部に設けられた球入口と、該球入口に連通しており、前記開口部に沿って前記枠状体の上部から側部にかけて設けられた第１通過路と、前記球入口に連通しており、前記第１通過路の後方において前記開口部に沿って前記枠状体の上部から側部にかけて設けられた第２通過路と、前記球入口から進入した遊技球を前記第１通過路側と前記第２通過路側との何れかへ振り分ける振分板と、前記枠状体の下部に設けられ、前記球入口から進入して前記第１通過路を通過した遊技球が排出される前方ステージと、前記枠状体の下部に設けられ、前記球入口から進入して前記第２通過路を通過した遊技球が排出される後方ステージとを備えており、
前記遊技領域内に打ち込まれ、前記球入口を介して進入した遊技球のうち、前記振分板により前記第２通過路側へ振り分けられた遊技球の一部を、前記第２通過路ではなく前記開口部内へ進入させることを特徴とする請求項１又は２に記載の遊技機。
【請求項４】
飾り部材に、球入口を２つ設けるとともに、前記球入口間に遊技球が入賞可能な入賞口を設けたことを特徴とする請求項１〜３の何れかに記載の遊技機。
【請求項５】
前方ステージに所定幅の第１溝部を、後方ステージに前記所定幅よりも幅狭な第２溝部を夫々形成するとともに、飾り部材の下方で、且つ、両ステージの溝部の下方となる位置に入賞装置を設けており、遊技球が前記前方ステージ上から前記第１溝部を通って下方へ流下する場合と、前記後方ステージ上から前記第２溝部を通って下方へ流下する場合とで、前記入賞装置へ入賞する可能性が異なることを特徴とする請求項３又は４に記載の遊技機。
【発明の詳細な説明】
【技術分野】
【０００１】
本発明は、パチンコ機等の遊技機に関する。
【背景技術】
【０００２】
遊技機の一例であるパチンコ機の一種として、遊技領域内に、複数の図柄を複数の部位に表示可能な表示部（以下、単に表示部という）が設けられており、その表示部に表示される複数の図柄が予め設定されている特定の図柄の組み合わせ（いわゆる「大当たり図柄」）となった場合に、遊技者にとって有利な特別遊技状態（いわゆる「大当たり状態」）が生起する図柄合わせタイプのパチンコ機が知られている。かかる図柄合わせタイプのパチンコ機においては、表示部は、色々な図柄やメッセージ等を、種々の態様で、遊技者に分かり易く、且つ、面白く表示できるように、表示装置によって、非常に大きく形成されている。
【０００３】
また、従来の図柄合わせタイプのパチンコ機においては、表示部の前面を通過した遊技球によって遊技者の視界が遮られて表示された図柄等が遊技者から見えにくくなる事態を防止する目的、及び、障害釘のない表示部の前面を流下し落下速度を増大させた遊技球が衝突することにより表示部下方の入賞装置や障害釘等が損傷する事態を防止する目的で、遊技領域に打ち込まれた遊技球が表示部の前面を流下せず、表示部の両脇のみを流下するように、表示部を構成したり、障害釘を配設したりしている（特許文献１）。   
【先行技術文献】
【特許文献】
【０００４】
【特許文献１】特開平９−２７１５６１号公報
【発明の概要】
【発明が解決しようとする課題】
【０００５】
しかしながら、従来の図柄合わせタイプのパチンコ機は、上記のように、遊技領域に打ち込まれた遊技球が、表示部の両脇のみを流下するように構成されているので、遊技球の流下態様が単調であり、面白さに欠ける面があった。このため、遊技者は遊技に対する意欲を失い易く、いつまでも興味を持って遊技をし続けることができなかった。
【０００６】
そこで本発明のうち、請求項１に記載の発明は、従来の図柄合わせタイプのパチンコ機における上記課題を解消し、遊技球の流下態様がバラエティーに富んでおり、趣向性が高く、遊技者がいつまでも飽きることなく遊技を楽しむことが可能な遊技機を提供することを目的とする。
【０００７】
また、請求項２に記載の発明においては、上記目的を達成しながら、剛性及び不正防止効果の高い構成とすることを目的とする。
【課題を解決するための手段】
【０００８】
本発明のうち、請求項１に記載の発明は、遊技領域内に図柄表示部が設けられている遊技機であって、前記図柄表示部を露出する開口部を有する枠状体で、遊技球が進入可能な球入口と、前記開口部に沿って設けられ、前記球入口を介して進入した遊技球を前記開口部の外側を通して流下させる通過路とを備えた飾り部材を設置するとともに、前記開口部内で前記図柄表示部の前方に、複数の小孔が穿設された透明板を設置し、後端が前記小孔の径よりも大きく膨出された複数のピン状障害体を、前記小孔を介して前方へ突出させるとともに、前記透明板の後方に、前記ピン状障害体の前記後端を嵌入可能な複数の凹部が前記小孔に対応して設けられた透明なピン押さえ板を位置させ、前記ピン状障害体の前記後端を、前記凹部へ嵌入させた状態で前記透明板と前記ピン押さえ板とにより挟持しており、前記遊技領域内に打ち込まれ、前記球入口へ進入した遊技球を前記通過路側と前記開口部内側との何れかに振り分け、前記開口部内に進入した遊技球については、前記透明板の前方を前記複数のピン状障害体と衝突させながら流下させる一方、前記球入口を開閉し、前記通過路及び前記開口部内への遊技球の進入を許可／阻止するシャッター機構を設けたことを特徴とする。
【０００９】
また、請求項２に記載の発明は、請求項１に記載の発明において、ピン状障害体が、小孔において接着若しくは溶着されていることを特徴とする。
さらに、請求項３に記載の発明は、請求項１又は２に記載の発明において、飾り部材が、枠状体の上部に設けられた球入口と、該球入口に連通しており、前記開口部に沿って前記枠状体の上部から側部にかけて設けられた第１通過路と、前記球入口に連通しており、前記第１通過路の後方において前記開口部に沿って前記枠状体の上部から側部にかけて設けられた第２通過路と、前記球入口から進入した遊技球を前記第１通過路側と前記第２通過路側との何れかへ振り分ける振分板と、前記枠状体の下部に設けられ、前記球入口から進入して前記第１通過路を通過した遊技球が排出される前方ステージと、前記枠状体の下部に設けられ、前記球入口から進入して前記第２通過路を通過した遊技球が排出される後方ステージとを備えており、前記遊技領域内に打ち込まれ、前記球入口を介して進入した遊技球のうち、前記振分板により前記第２通過路側へ振り分けられた遊技球の一部を、前記第２通過路ではなく前記開口部内へ進入させることを特徴とする。
さらにまた、請求項４に記載の発明は、請求項１〜３の何れかに記載の発明において、飾り部材に、球入口を２つ設けるとともに、前記球入口間に遊技球が入賞可能な入賞口を設けたことを特徴とする。
加えて、請求項５に記載の発明は、請求項３又は４に記載の発明において、前方ステージに所定幅の第１溝部を、後方ステージに前記所定幅よりも幅狭な第２溝部を夫々形成するとともに、飾り部材の下方で、且つ、両ステージの溝部の下方となる位置に入賞装置を設けており、遊技球が前記前方ステージ上から前記第１溝部を通って下方へ流下する場合と、前記後方ステージ上から前記第２溝部を通って下方へ流下する場合とで、前記入賞装置へ入賞する可能性が異なることを特徴とする。
【発明の効果】
【００１０】
本発明のうち、請求項１に記載の発明によれば、表示部の前方に、ピン状障害体が前方へ突出された透明板を設けるので、表示部の図柄等を視認可能としながら、遊技球が、ピン状障害体と衝突して、表示部の前方を流下する。したがって、請求項１に記載の発明によれば、表示部等を破損することなく、遊技球の流下態様をバラエティー豊かにして、遊技者の興趣を喚起することができる。
また、ピン状障害体は、透明板の小孔に挿通させて設けているため、ピン状障害体を簡易に配置できる。
さらに、膨出状に形成したピン状障害体の後端を、透明板と押さえ板とにより挟持しているため、ピン状障害体を脱着自在にでき、パチンコ機のセッティングやメンテナンスを容易に実行することができるし、ピン状障害体の後端を押さえ板の凹部に嵌入させているため、ピン状障害体を直立姿勢で保持することができる。
さらにまた、飾り部材に設けられたシャッター機構を開閉させることで、例えば、遊技状態に応じて、表示部前方への遊技球の流下を選択したりすることもできる。
加えて、球入口へ進入した遊技球を通過路側（すなわち開口部外側）と開口部内側との何れかに振り分けるように構成しているため、遊技球の流下態様を一層バラエティー豊かにすることができる。
【００１１】
また、請求項２に記載の発明によれば、ピン状障害体が押さえ板と一体的に構成されているため、剛性高く、不正改造を実行不可能に構成することができる。
加えて、請求項５に記載の発明によれば、遊技球が第１通過路と第２通過路との何れを通過したかに応じて入賞装置へ入賞する可能性を変化させることができ、一層遊技球の流下態様をバラエティー豊かにすることができる。
【図面の簡単な説明】
【００１２】
【図１】本発明にかかる遊技機の一例であるパチンコ機の、第１実施形態の正面説明図である。
【図２】第１実施形態における飾り部材の（ａ）正面，（ｂ）斜視の説明図である。
【図３】第１実施形態における飾り部材の分解説明図である。
【図４】ピンを突出した裏飾り部材の（ａ）正面，（ｂ）斜視の説明図である。
【図５】図４の（ａ）Ｋ−Ｋ線一部断面，（ｂ）Ｋ−Ｋ線一部分解断面の説明図である。
【図６】裏飾り部材中における遊技球の流下状態の（ａ）斜視，（ｂ）断面の説明図である。
【図７】第２実施形態における飾り部材の分解斜視説明図である。
【図８】第３実施形態の正面説明図である。
【図９】第３実施形態における飾り部材の（ａ）正面，（ｂ）背面，（ｃ）斜視，（ｄ）分解斜視の説明図である。
【図１０】第３実施形態における飾り部材と遊技盤との（ａ）斜視，（ｂ）分解斜視の説明図である。
【発明を実施するための形態】
【００１３】
以下、本発明にかかる遊技機の一例としてのパチンコ機の実施形態について、図面に基づいて詳細に説明する。
【００１４】
［第１実施形態］
図１は、第１実施形態のパチンコ機１の前面を示したものであり、機枠２左側縁には、前面枠３が蝶着されている。また、前面枠３の上部には、ガラス枠４が設置されており、前面枠３に左側縁を蝶着された状態で、片開き自在となっている。更に、ガラス枠４の後方には、遊技盤５が設けられている。加えて、遊技盤５の表側には、遊技球が流下可能な、各種入賞口、図柄始動口９、大入賞口９ａ、風車、電飾ランプ、障害釘等（一部図示せず）が設置された遊技領域Ｐが形成されている。そして、遊技領域Ｐのほぼ中央には、図柄等を表示可能な表示部Ｚを表側に備える液晶ディスプレイ（ＬＣＤ）が設けられており、表示部Ｚの周囲前方には、飾り部材１０が設置されている。
【００１５】
図２から図６は飾り部材１０の説明図であって、飾り部材１０は、表飾り部材１１、裏飾り部材１２、ピン１３，１３・・、ピン押さえ板１４、ネジ１５，１５・・等からなる。
【００１６】
表飾り部材１１は、表示部Ｚよりも若干大きい開口部を有する、厚みがほぼ遊技球２個分の合成樹脂製の枠状体であって、様々な装飾を施されて形成されている。また、上部の前半には突出部２１を備えており、その突出部２１の上面には入賞口２２が、下方から後方へと設けられている。そして、突出部２１の両側面には球入口２３，２３が内部でＹ状に連通した状態に穿設されている。また、表飾り部材１１の前半の上部から両側部にかけて設けられる、遊技球が通過可能な逆Ｕ状の空間を内部に有する第１通過路２０が形成されている。更に、第１通過路２０の後方には、裏側が開放された他は第１通過路２０の両側部と同様に形成された第２通過路３０，３０が設けられている。
【００１７】
各球入口２３の連通した先は、幅が遊技球数個分の図示しない空間となっており、その空間の下部は、ほぼ遊技球１個分大の振分板２５（図６（ｂ）にのみ図示）が設けられている他は開放されている。また、上記空間のすぐ下方に、第１通過路２０の空間の頂上部が位置している。
【００１８】
なお、突出部２１の後方において、Ｕ状の入賞球ガイド２４が、入賞口２２に添設されている。また、表飾り部材１１の裏側には、図示しない４つの挿着片が突設され、側部には、図示しない４つの爪嵌入溝が刻設されている。更に、表飾り部材１１の開口部の下辺には、前方ステージ２６及び後方ステージ２７が、谷状に形成されている。両ステージ２６，２７の各中央には、それぞれ溝部２８，２９が設けられている。溝部２８の幅はほぼ遊技球２個分とされ、溝部２９の幅はほぼ遊技球１個分とされている。更に、前方ステージ２６両脇には、第１通過路２０の両端である第１通過路出口Ｇ，Ｇが、また、後方ステージ２７両脇には、各第２通過路３０，３０の下端である第２通過路出口Ｈ，Ｈが位置している。
【００１９】
裏飾り部材１２は、合成樹脂製の板状体であって、表示部Ｚとほぼ同寸である透明板３１がほぼ中央に付設されている。また、裏飾り部材１２表側には、入賞球ガイド３３、遊技球ガイド３４，３４・・、遊技球ガード３９，３９、爪３５，３５・・等が、裏側には、螺着部３６，３６・・等が突設されている（図４）。遊技球ガイド３４は、ほぼ遊技球１個分突出しており、裏飾り部材１２上縁に、入口Ａ〜Ｆを有する分岐路Ｒを形成するように配置されている。また、遊技球ガード３９，３９は、入口Ａ，Ｆの側方に沿設されている。
【００２０】
また、透明板３１には、全体に亘って小孔３２，３２・・が穿設されており、縦横においてほぼ遊技球の半分のピッチを有する格子状に配置されている。なお、裏飾り部材１２上縁の遊技球ガイド３４，３４には、挿着部３７，３７が、また、裏飾り部材１２下縁には、挿着孔３８，３８が、それぞれ、表飾り部材１１の挿着片に対応する位置に設けられている。
【００２１】
ピン１３，１３・・は、小孔３２，３２・・の径よりごく僅かに細い、金属製の棒状体であって、各ピン１３の後端が、小孔３２，３２・・の径より大きい膨出形状となっている。
【００２２】
ピン押さえ板１４は、透明な合成樹脂製の板状体で、ほぼ透明板大とされている。また、コーナー部には、後方に突出した筒部４１，４１・・が設けられている。各筒部４１の内径は、裏飾り部材１２裏側の螺着部３６の外径と合致する。また、ピン押さえ板１４表側には、小孔３２，３２・・に対応するように、ピン１３，１３・・の膨出部の径大の凹部４２，４２・・が設けられている。
【００２３】
そして、飾り部材１０においては、ピン１３，１３・・が、裏飾り部材１２の小孔３２，３２・・へ、膨出部が小孔３２，３２・・に係止するように裏側から挿通されている。更に、各ピン１３膨出部が、裏飾り部材１２の透明板２１とピン押さえ板１４の対応する凹部４２とで挟持された状態で、ピン押さえ板１４が、裏飾り部材１２裏側に取り付けられている（図５，図６）。ピン押さえ板１４は、各螺着部３６と、対応する筒部４１とを嵌め合わせたうえで、各螺着部３６にネジ１５，１５・・を嵌めることによって取り付けられている。更に、裏飾り部材１２が、各挿着部３７及び各挿着孔３８と、表飾り部材１１裏側の対応する挿着片とを嵌合させることによって、表飾り部材１１の裏側に取り付けられている。なお、入賞球ガイド２４，３３は連接している。また、表飾り部材１１内部の振分板２５と、裏飾り部材１２内部の分岐路Ｒ中央とが連接している（図６（ｂ））。更に、裏飾り部材１２下縁と、後方ステージ２７後縁とが密接している。加えて、第２通過路３０，３０が、外側の側壁に遊技球ガード３９，３９を連接させ、上端縁にそれぞれ入口Ａ，Ｆを含み、更に分岐路Ｒと連通した状態で、裏飾り部材１２と密着している。また更に、各爪３５が、表飾り部材１１裏側の対応する爪嵌入溝に嵌入している。
【００２４】
このような飾り部材１０は、ピン押さえ板１４の後方に、表示部Ｚ（ＬＣＤ１６表側）が位置した状態で、パチンコ機１の遊技盤５に設置されている（図６（ｂ））。このとき、表飾り部材１１と裏飾り部材１２との境目をほぼ裏側に合わせている。また、パチンコ機１の遊技領域Ｐ上であって、飾り部材１０の各ステージ２６，２７の溝部２８，２９の下方に、図柄始動口９が位置し、更に下方に、大入賞口９ａが位置している。なお、前面枠３の下部には、供給皿６及び貯留皿７が、上下に並置された状態で突設されており、貯留皿７の右側には、操作ハンドル８が突設されている。
【００２５】
加えて、パチンコ機１は、遊技球が大入賞口９ａ等の各入賞口に入賞した場合には、入賞口の種類に応じた所定個数の賞品球を、賞品球払出装置（図示せず）により払い出すようになっている。また、パチンコ機１は、表示部Ｚの左側、中央、右側の３個所において、一桁の数字や一文字のアルファベットといった図柄を、それぞれ様々な態様で表示できるようになっている。そして、遊技球が図柄始動口９に入賞した場合には、それぞれの図柄が変動を開始し、所定時間後に停止表示となるようにされている。更に、停止表示となった３つの図柄が予め設定されている「大当たり図柄」である場合（例えば、３つの図柄が同一である場合）には、「大当たり状態」が生起し、大入賞口９ａが極めて高い確率で所定回数断続的に開成するようになっている。また、パチンコ機１は、「大当たり状態」が生起した後には、その「大当たり状態」の生起を報知するため、更に、「大当たり状態」を興趣高いものとするため、表示部Ｚ全体に亘って、動画やメッセージ等を表示するようになっている。
【００２６】
上記パチンコ機１は、飾り部材１０が、球入口２３，２３や振分板２５や分岐路Ｒを備えて形成されており、また、前方へ突設したピン１３，１３・・が、表示部Ｚの前方に配置されているため、遊技球が、ピンと衝突しながら、表示部Ｚの前方を流下する（図６）。
【００２７】
即ち、遊技領域Ｐを流下する遊技球Ｌが、表飾り部材１１の球入口２３を通過すると、遊技球Ｌは、振分板２５によって後方に弾かれ、裏飾り部材１２の分岐路Ｒ中央に導入される。そして、遊技球ガイド３４，３４・・に衝突し、入口Ａ〜Ｆの何れかを通過する。入口Ｂ〜Ｅを通過した場合には、更に、裏飾り部材１２中を、ピン１３，１３・・若しくは第２通過路３０，３０の内側の側壁と衝突して流下する。また、入口Ａ，Ｆを通過した場合、遊技球は、第２通過路３０，３０へ落下し、第２通過路出口Ｈ，Ｈへ導かれる。したがって、遊技球の流下態様がバラエティーに富み、遊技者の興趣を損なうことがない。
【００２８】
また、裏飾り部材１２中を流下して、後方ステージ２７に衝突した遊技球Ｌ若しくは第２通過路出口Ｈ，Ｈを通過した遊技球Ｌは、後方ステージ２７上を左右に揺動し、その後溝部２９に入り込んで、前方ステージ２６へ導出される。この後、溝部２９の幅の狭さにより、前方ステージ２６をほぼ揺動せずに飾り部材１０の下方へ導出される。なお、遊技球は、ピン１３，１３・・と衝突しながら流下するので、流下速度を減ぜられる。したがって、後方ステージ２７や図柄変動口９等、飾り部材及びその下方の部材は、非常に破損しにくい。
【００２９】
一方、振分板２５によって後方に弾かれない場合、遊技球Ｌは、表飾り部材１１の第１通過路２０内に落下し、何れか一方の出口Ｇを通って前方ステージ２６に導入される。そして、前方ステージ２６上を揺動し、溝部２８から排出される。このとき、溝部２８の幅の広さにより、中央からずれる可能性が比較的大きい。よって、遊技球の通過経路に応じて図柄変動口９へ入賞する可能性を変化させることができ、一層遊技球の流下態様をバラエティー豊かにすることができる。なお、遊技球が入賞口２２に入賞すると、入賞球ガイド２４，３３を経て遊技盤５裏側へ導入され、その導入を検知して入賞処理を実行するようになっている。また、上記以外の場合、遊技球は表示部両脇を流下する。
【００３０】
加えて、ピン１３，１３・・は、小孔３２，３２・・に挿通されているため、配置が容易である。また、膨出端が、透明板３１とピン押さえ板１４とによって挟持されているため、ピン１３，１３・・の固定は十分である。更に、ピン押さえ板１４には、小孔３２，３２・・に対応して、凹部４２，４２・・が設けられているため、膨出部を凹部に嵌入した状態で係止させることができ、ピン全体が直立する。また更に、ピン押さえ板１４は螺着されているため、ネジ１５，１５・・を外すことによって、ピン１３，１３・・が脱着自在となる。したがって、破損したピン１３を取り替えて、パチンコ機１を容易にメンテナンスすることができ、また、ピン１３，１３・・の配置を変更して遊技球の流下状況を変化させる等、パチンコ機１を容易にセッティングすることができる。また、表示部Ｚ前方の、ピン押さえ板１４と透明板３１とが透明に形成されているため、表示部Ｚの図柄等を明瞭に視認可能である。
【００３１】
［第２実施形態］
図７は、第２実施形態のパチンコ機における飾り部材の説明図であって、その飾り部材は、第１実施形態のパチンコ機１とは、ピンを突設するための構成のみ相違する。即ち、第２実施形態における飾り部材では、ピンが、適宜配置された状態で、透明な樹脂のピン連結板４４の一部として一体成形されている。また、ピン連結板４４には、ピン押さえ板１４と同様に、筒部４５，４５・・が設けられている。そして、ピン連結板４４は、ピン部を裏飾り部材１２の小孔３２，３２・・に挿通した上で、ピン押さえ板１４と同様に取り付けられる。なお、第２実施形態のパチンコ機における、他の部分の構成は、パチンコ機１と同様である。
【００３２】
第２実施形態におけるパチンコ機は、ピンがピン連結板４４として一体成形されているので、すべてのピンを剛性高く突設させることができる。また、遊技者にとって都合の良い遊技状態を生じさせる目的で、不正にピンを再配置することが不可能となる。なお、すべてのピンを同時に突出することができるため、遊技球が表示部前方を流下するパチンコ機における飾り部材の組み立てが容易となる。
【００３３】
［第３実施形態］
図８は第３実施形態におけるパチンコ機５１の説明図であって、ガラス枠５６の後方の遊技盤５２表側へ形成された遊技領域Ｑには、パチンコ機１の表示部Ｚよりも大型の表示部Ｙを有するＬＣＤ（図示せず）が設置されている。また、表示部Ｙの周囲前方には、飾り部材６０が設置されている。なお、パチンコ機５１は、図柄変動の作動保留回数を表示する作動保留ランプ５７，５７・・の設置及び飾り部材６０以外は、パチンコ機１と同様に構成され、作動する。
【００３４】
図９及び図１０は、飾り部材６０の説明図であって、飾り部材６０は、前板６１、ピン６２，６２・・、ピン押さえ板６３、ネジ６４，６４・・等からなる。
【００３５】
前板６１は、ほぼ表示部大の透明板７１に細枠体７２を周設して形成されており、透明板７１には、小孔７３，７３・・が格子状に穿設されている。小孔７３，７３・・は、縦横ほぼ遊技球大のピッチで、透明板７２全体に亘って配置されている。なお、細枠体７２には、後方に突出した螺着部７４，７４・・と、ネジ孔７５，７５・・と、作動保留ランプ５７，５７・・を通すランプ孔７６，７６・・とが設けられている。
【００３６】
ピン６２，６２・・は、第１実施形態のピン１３と同様、膨出端を有する金属製の棒である。一方、ピン押さえ板６３は、透明樹脂で成形されており、表側には、小孔７３，７３・・と同じ配置の凹部８１，８１・・が設けられている。また、コーナー部は、後方に突出した筒部８２，８２・・になっている。
【００３７】
そして、飾り部材６０は、ピン６２，６２・・を、千鳥格子状に透明板７１に挿通し、更に、膨出部を凹部８１，８１・・に嵌入した状態で、ピン押さえ板６３を、前板６１裏側に取り付けて組み合わされている。なお、ピン押さえ板６３の取り付けは、各筒部８２と各螺着部７４とを合わせ、ネジ６４，６４・・で螺着することにより行われている。
【００３８】
このような飾り部材６０は、図１０に示すようにして、パチンコ機５１の遊技盤５２に取り付けられている。即ち、遊技盤５２には、ほぼ飾り部材６０大の孔５４がほぼ中央に穿設されている。また、孔５４周囲であって、各ネジ孔７５に対応する位置には、螺着代５５，５５・・が突設されている。そして、ネジ５３，５３・・が、ネジ孔７５，７５・・に通された状態で、螺着代５５，５５・・に螺入されている。なお、飾り部材６０のピン押さえ板６３の後方に、表示部Ｙを有する大型ＬＣＤが位置している。また、作動保留ランプ５７，５７・・は、ランプ孔７６，７６・・に嵌入した状態となっている。
【００３９】
上記パチンコ機５１は、遊技領域Ｑと前板６１表側とがほぼ面一となっている。したがって、遊技球が、表示部Ｙ前面を、ピン６２，６２・・と衝突しながら流下する。しかも、遊技領域Ｑに相当する大きさの表示部Ｙが設置されているため、図柄等を大きく表示する、迫力ある興趣深いパチンコ機となっている。
【００４０】
なお、本発明の遊技機の構成は、上記実施形態に限定されるものではなく、以下に例示するように、様々に変更できる。ピンは、金属製のものばかりでなく、合成樹脂製のもの等を利用できる。また、ピンは、透明板に挿通されていたり、一端を膨出状に形成したりする必要はなく、単なる棒状のピンを透明板に直に取り付けても良い。加えて、透明板とピン押さえ板とで挟持することによって固定するばかりでなく、更に小孔に接着剤を流し込んだり、ピンを溶着したりすることによって、ピンと透明板とを固定することができる。この場合、ピンを剛性高く設置できるし、ピンの配置が変更不可能となり、遊技者にとって有利な遊技球の流下状態を生ずるように不正に改造されてしまう事態を防止できるメリットがある。
【００４１】
また更に、透明板の小孔は、単純な格子状に配置する必要はなく、千鳥格子状といった他の配置を採用できる。また、球入口に、遊技状態に応じて開閉するシャッター機構を設けて、図柄変動時等には遊技球が表示部前方を流下しないようにすることができる。なお、本発明は、パチンコ機以外の他の遊技機に適用しても良い。
【符号の説明】
【００４２】
１，５１・・パチンコ機、２・・機枠、３・・前面枠、４，５６・・ガラス枠、５，５２・・遊技盤、６・・供給皿、７・・貯留皿、８・・操作ハンドル、９・・図柄変動口、９ａ・・大入賞口、１０，６０・・飾り部材、１１・・表飾り部材、１２・・裏飾り部材、１３，６２・・ピン、１４，６３・・ピン押さえ板、１５，５３，６４・・ネジ、１６・・液晶ディスプレイ（ＬＣＤ）、２０・・第１通過路、２１・・突出部、２２・・入賞口、２３・・球入口、２４，３３・・入賞球ガイド、２５・・振分板、２６・・前方ステージ、２７・・後方ステージ、２８，２９・・溝部、３０・・第２通過路、３１，７１・・透明板、３２，７３・・小孔、３４・・遊技球ガイド、３５・・爪、３６，７４・・螺着部、３７・・挿着部、３８・・挿着孔、３９・・遊技球ガード、４１，４５，６２・・筒部、４２，８１・・凹部、４４・・ピン連結板、５４・・孔、５５・・螺着代、５７・・作動保留ランプ、６１・・前板、７２・・細枠体、７５・・ネジ孔、７６・・ランプ孔、Ａ，Ｂ，Ｃ，Ｄ，Ｅ，Ｆ・・入口、Ｇ・・第１通過路出口、Ｈ・・第２通過路出口、Ｌ・・遊技球、Ｐ，Ｑ・・遊技領域、Ｒ・・分岐路、Ｙ，Ｚ・・表示部。
【図１】
0004700116.tif 000002
【図２】
0004700116.tif 000003
【図３】
0004700116.tif 000004
【図４】
0004700116.tif 000005
【図５】
0004700116.tif 000006
【図６】
0004700116.tif 000007
【図７】
0004700116.tif 000008
【図８】
0004700116.tif 000009
【図９】
0004700116.tif 000010
【図１０】
0004700116.tif 000011